(57)【要約】      （修正有）【課題】主に顔に対するマッサージ機能を施し、美容処理を行なう美容ローラを提供する。【解決手段】棒状の把持部１と、半球状粒体６が複数配置された棒状のマッサージローラ部５と、該マッサージローラ部５が左右側の先端杆部にそれぞれ回転可能に設けられた二股杆４と、前記把持部１と前記二股杆４との間に配置される接続部３とからなり、接続部３と二股杆４とは固着される共に、接続部３は前記把持部１の一端に接続角度が適宜変更可能に設けられてなること。【選択図】図１
2012105701.tif 000002
【特許請求の範囲】
【請求項１】
棒状の把持部と、半球状粒体が複数配置された棒状のマッサージローラ部と、該マッサージローラ部が左右側の先端杆部にそれぞれ回転可能に設けられた二股杆と、前記把持部と前記二股杆との間に配置される接続部とからなり、該接続部と前記二股杆とは固着される共に、前記接続部は前記把持部の一端に接続角度が適宜変更可能に設けられてなることを特徴とする美容ローラ。
【請求項２】
請求項１において、前記接続部に対して前記二股杆は側面から見た固定側部角度約３０度程度傾斜してなることを特徴とする美容ローラ。
【請求項３】
請求項１又は２において、前記把持部の他端にはツマミが螺旋を介して設けられ、該ツマミの回転による進退にての前記接続部への係止にて接続角度が複数箇所固定可能に形成されてなることを特徴とする美容ローラ。
【請求項４】
請求項３において、前記ツマミに設けた細長棒片の先端が、前記接続部に形成された穴部に係止可能とされ、前記接続角度は、前記把持部の長手方向に対して上側又は下側に対して適宜な鋭角となるように複数形成され、肌当て角度が適宜異なるようにされてなることを特徴とする美容ローラ。
【請求項５】
請求項１，２，３又は４において、前記マッサージローラ部は、断面円形状で且つ等間隔に少なくとも３列の突起部列と括れ凹部列とが交互に設けられた形状をなし、前記突起部列には、少なくとも２個以上の半球状粒体が配列固着されてなることを特徴とする美容ローラ。
【請求項６】
請求項１，２，３，４又は５において、前記半球状粒体は、ゲルマニウムを含む半導体としてなることを特徴とする美容ローラ。
【発明の詳細な説明】
【技術分野】
【０００１】
本発明は、主に顔に対するマッサージ機能を施し、美容処理を行なうことができる美容ローラに関する。
【背景技術】
【０００２】
近似、特に、小型で棒状の形状、或いは、二股状をなした美容ローラ又は美顔ローラが、自分の手で持ちながら、自分自身の顔に当てて、上下、左右にローラを転がして美容処理を行なうことができる美容処理を行うことが盛んに行われている。
【０００３】
このような二股状をなした美容ローラにおいては、その二股状部は、常に一定の角度であった。このため、自分の顔の頬や、足の腿の上部を美容処理するためには便利であるが、体の部分によっては、美容処理あるいはマッサージが困難な場合があった。さらに、常に一定の角度であると、そのローラの刺激が一定となるものであった。
【０００４】
また、特許文献１（実用新案登録第３１５９２５５号公報）においても、その二股状部の倒れ角度は、一定であり、変更することができなかった。このため、角度変更を求める声もあった。
【先行技術文献】
【特許文献】
【０００５】
【特許文献１】実用新案登録第３１５９２５５号公報
【発明の概要】
【発明が解決しようとする課題】
【０００６】
このため、本発明が解決しようとする課題（技術的課題又は目的等）は、二股状部の角度を適宜変更することで、マッサージ効率を挙げることができ、美容処理効果を上昇させることができる美容ローラを実現することである。
【課題を解決するための手段】
【０００７】
そこで、発明者は上記課題を解決すべく鋭意，研究を重ねた結果、請求項１の発明を、棒状の把持部と、半球状粒体が複数配置された棒状のマッサージローラ部と、該マッサージローラ部が左右側の先端杆部にそれぞれ回転可能に設けられた二股杆と、前記把持部と前記二股杆との間に配置される接続部とからなり、該接続部と前記二股杆とは固着される共に、前記接続部は前記把持部の一端に接続角度が適宜変更可能に設けられてなることを特徴とする美容ローラとしたことにより、前記課題を解決した。
【０００８】
請求項２の発明を、請求項１において、前記接続部に対して前記二股杆は側面から見た固定側部角度約３０度程度傾斜してなることを特徴とする美容ローラとしたことにより、前記課題を解決した。請求項３の発明を、請求項１又は２において、前記把持部の他端にはツマミが螺旋を介して設けられ、該ツマミの回転による進退にての前記接続部への係止にて接続角度が複数箇所固定可能に形成されてなることを特徴とする美容ローラとしたことにより、前記課題を解決した。
【０００９】
請求項４の発明を、請求項３において、前記ツマミに設けた細長棒片の先端が、前記接続部に形成された穴部に係止可能とされ、前記接続角度は、前記把持部の長手方向に対して上側又は下側に対して適宜な鋭角となるように複数形成され、肌当て角度が適宜異なるようにされてなることを特徴とする美容ローラとしたことにより前記課題を解決した。
【００１０】
請求項５の発明を、請求項１，２，３又は４において、前記マッサージローラ部は、断面円形状で且つ等間隔に少なくとも３列の突起部列と括れ凹部列とが交互に設けられた形状をなし、前記突起部列には、少なくとも２個以上の半球状粒体が配列固着されてなることを特徴とする美容ローラとしたことにより、前記課題を解決した。請求項６の発明を、請求項１，２，３，４又は５において、前記半球状粒体は、ゲルマニウムを含む半導体としてなることを特徴とする美容ローラとしたことにより前記課題を解決したものである。
【発明の効果】
【００１１】
請求項１の発明においては、ユーザが自分自身の体のいずれの部分であっても、容易に美容処理を行なうことができる美容処理装置を提供することができる。請求項２の発明では、固定側部角度約３０度程度傾斜させたことで、肌への当たりを良好にできる。
【００１２】
請求項３の発明では、接続角度を任意にできることで、マッサージ効率を挙げることができ、美容処理効果を上昇させることができる。さらに、請求項４の発明では、特に、肌当て角度を簡単に変えることができ、美容処理効果を上げることができる。請求項５の発明では、効率的なマッサージができる。請求項６の発明では、さらに、良好なマッサージ効率を得ることができる。また、請求項２乃至６の発明においては、請求項１と同様の効果を奏する。
【図面の簡単な説明】
【００１３】
【図１】（Ａ）は本発明の斜視図、（Ｂ）は接続角度を零とした本発明の側面図及びローラ側部角度を適宜仮想変更した側面図である。
【図２】(Ａ)は本発明の平面図、（Ｂ）は（Ａ）の（ア）部の一部断面とした拡大図、（Ｃ）は接続部と把持部との接続箇所の断面図、（Ｄ）はマッサージローラ部箇所の断面図、（Ｅ）は（Ｄ）のＸ１−Ｘ１矢視断面図である。
【図３】（Ａ）は本発明の顔での使用を示す状態図、(Ｂ)は（Ａ）の接続部と把持部との接続箇所の一部断面として側面図、（Ｃ）は(Ａ)のＸ２−Ｘ２矢視図である。
【図４】(Ａ)は本発明の肌当て角度を変えた顔での使用を示す状態図、(Ｂ)は（Ａ）の接続部と把持部との接続箇所の一部断面として側面図、（Ｃ）は(Ａ)のＸ３−Ｘ３矢視図である。
【図５】(Ａ)は本発明のさらに肌当て角度を変えた顔での使用を示す状態図、(Ｂ)は（Ａ）の接続部と把持部との接続箇所の一部断面として側面図、（Ｃ）は(Ａ)のＸ４−Ｘ４矢視図である。
【発明を実施するための形態】
【００１４】
以下、本発明の実施形態について、図面を参照して詳細に説明する。本発明の美容ローラは、主に、棒状の把持部１と、半球状粒体６が複数配置された棒状のマッサージローラ部５と、該マッサージローラ部５が左右側の先端杆部４１にそれぞれ回転可能に設けられた二股杆４と、前記把持部１と前記二股杆４との間に配置される接続部３とから構成されている。
【００１５】
前記マッサージローラ部５は、断面円形状で且つ等間隔に少なくとも３列の突起部列５１と括れ凹部列５２とが交互に複数（実施形態では、３列）設けられた形状をなしている。前記突起部列５１には、少なくとも２個以上の半球状粒体６が配列固着されている。該半球状粒体６は、半導体材料にて構成され、具体的には、ゲルマニウム等が使用される。
【００１６】
前記把持部１には、前記接続部３との結合・離脱ができるツマミ２が設けられている。具体的には、該ツマミ２の一端〔図１（Ｃ）において左側端〕には、外ネジ部２１が設けられ、該外ネジ部２１端より細長棒片２２が固着されている。前記把持部１の他端〔図１（Ｃ）において右側端〕側に形成された内ネジ部１１に、前記ツマミ２の外ネジ部２１が螺合し、前記ツマミ２を回転することで、前記細長棒片２２が前記把持部１内に形成された貫通孔１２内を進出したり、後退するようにして後述の穴部３１ａに適宜係止する構成となっている。
【００１７】
さらに、前記接続部３は、前記把持部１の一端〔図１（Ｃ）において左側端〕が切込みが形成されて二股部１３，１３が形成され、該二股部１３，１３間の切込み箇所に、前記接続部３の揺動片３１が挿入され軸支３０されている。前記揺動片３１の適宜の角度揺動するように構成されている。特に、該揺動片３１の外周には、前記細長棒片２２の先端が適宜挿入される穴部３１ａ，３１ａが複数設けられている。
【００１８】
前記接続部３の揺動片３１は、１つ目は、直線状に位置している場合、接続角度∠βは零〔図１（Ｃ）及び図３（Ａ）参照〕、２つ目は、図１（Ｂ）の下側の垂下方向にマッサージローラ部５が向くように、接続角度∠βは約５０度前後傾斜状に位置している場合、３つ目は、図１（Ｂ）の上側の垂直方向になるように、接続角度∠βが約９０度屈曲している場合の３種類で、前記記細長棒片２２の先端が穴部３１ａに挿入係止され、この位置を支持する。
【００１９】
前記接続部３の揺動片３１の反対側はロート状に尖った形状をなし取付部３２の先端が、前記二股杆４の曲がり部４１の中央箇所にビスにて固着されている。前記二股杆４を平面的に見た角度は、約１３５度前後をなしている。これを側面から見た固定側部角度∠αは、約３０度前後であり、この角度は一定である。
【００２０】
特に、本発明の最大の特徴は、接続部３の揺動片３１の揺動した接続角度∠βの相違させることにより、ローラ側部角度∠δ及び肌当て角度∠θが、種々相違することで、マッサージ効果を変えることができるものである。この説明について詳述する。
【００２１】
まず、１つ目の接続角度∠βは零〔図１（Ｃ）及び図３（Ａ）参照〕の場合は、
ローラ側部角度∠δは（１８０度−∠α）で、固定側部角度∠αの約３０度の補角となっている〔図３（Ｂ）参照〕。特に、図３（Ｃ）に示す肌当て角度∠θは約１５０度となっている。そして、２つ目の接続角度∠βは約５０は、図４（Ｂ）の下側の垂下方向にマッサージローラ部５が向くように、接続角度∠βが約５０度の場合、ローラ側部角度∠δは約９０度〔図４（Ｂ）参照〕で、図４（Ｃ）に示す肌当て角度∠θは約１２５度となっている。
【００２２】
３つ目の接続角度∠βが約９０度屈曲している場合は、図５（Ａ）及び（Ｂ）に示すようになり、図５（Ｃ）に示す肌当て角度∠θは約１３５度となる。このように、同一製品でありながら、接続角度∠βを適宜変えることで、肌当て角度∠θを、実施形態では、約１２５度、約１３５度、約１５０度と変えることができ、これによって、一対のマッサージローラ部５，５の転がり状態や、半球状粒体６が肌への当たり状態も微妙に変化して、より一層美容効果を発揮しうる。
【符号の説明】
【００２３】
１…把持部、２…ツマミ、２２…細長棒片、３…接続部、４…二股杆、
４２…先端杆部、５…マッサージローラ部、５１…突起部列、５２…括れ凹部列、
６…半球状粒体、∠α…固定側部角度、∠β…接続角度、∠θ…肌当て角度。
【図１】
2012105701.tif 000003
【図２】
2012105701.tif 000004
【図３】
2012105701.tif 000005
【図４】
2012105701.tif 000006
【図５】
2012105701.tif 000007